(57)【要約】      （修正有）【課題】２本のネクタイを視認性良く包装陳列するネクタイパッケージを提供する。【解決手段】ネクタイ２本を前後段違いで平行に装着するネクタイパッケージ１であって、上部にフックハンガー８を備え、上段左留帯と上段右留帯を掛け合わせ、１本目のネクタイを折り吊るし、そのネクタイの上に下側の中段左留帯と中段右留帯を掛け合わせ、２本目のネクタイを折り吊るし、そのネクタイの上に下側の下段留帯７を内面側に折り込んで止める。【選択図】図１
0003157904.tif 000002
【実用新案登録請求の範囲】
【請求項１】
ネクタイを２本装着するネクタイパッケージ（１）であって、全体が１枚の紙シートで構成され、そのパッケージ展開状態での平面視において、縦長の台紙（１１）の中心から略左上方と略右上方とに、短手幅の上段左側面（２１）を有し、先端に切欠溝（２３）及び掛部（２４）を設けた上段左留帯（２）と、上段右側面（３１）を有し、かつ先端に切欠溝（３３）及び掛部（３４）を設けた上段右留帯（３）を夫々設け、その下方に長手幅の中段左側面（４１）を有し、その先端に切欠溝（４３）及び掛部（４４）を設けた中段左留帯（４）と、中段右側面（５１）を有し、その先端に切欠溝（５３）及び掛部（５４）を設けた中段右留帯（５）を夫々設け、その更に下方に広幅の下段右側面（７１）を有し、その先端に係止爪（７５１）とスリット（７５２）からなる係止部（７５）と下段右重側面（７４）からなっていて少なくとも台紙（１１）横幅より長い下段留帯（７）と、下段左側面（６１）を有し中段左留帯（４）と連設された保持帯（６）よりなる紙型を組み立てたもので、台紙（１１）の上部には、フックハンガー（８）を取り付け、前記上段左留帯（２）と前記上段右留帯（３）とを組み合わせ係止してネクタイ（９）の吊り下げ空間Ａを有する角筒を形成し、前記中段左留帯（４）と前記中段右留帯（５）とを組み合わせ係止して２本目のネクタイの吊り下げ空間Ｂを有する角筒を形成し、下段留帯を巻いてさらに空間Ｃを有する角筒を形成し、この空間ＡＢＣにネクタイを通すことで２本のネクタイを装着することを特徴とするネクタイパッケージ。
【請求項２】
前記係止部（７５）と下段右重側面（７４）と下段留帯（７）と下段右側面（７１）と台紙（１１）は、折り目（１７）（７２）（７３）（７７）により夫々区画されていて、前記夫々の折り目（１７）（７２）（７３）（７７）を垂直に内側に折り曲げ、前記係止部（７５）のスリット（７５２）が到接する台紙背面に台形の長手辺以外を切欠して、台形の短手辺が左に位置する切欠部（１５）を設け、その切欠部（１５）に係止爪（７５１）を挿し込み、該係止爪（７５１）を弓なりに反らして鈎持することを特徴とする請求項１に記載のネクタイパッケージ。
【請求項３】
前記フックハンガー（８）は、縦長の台紙（１１）の上端から略四分の一下方に上端と平行な折り目（１８）を設けて内面下方側に折り曲げて補強カバー（１４）を設け、前記折り目（１８）の中央部にノッチ（１３）を設け、そのノッチ（１３）に留具（８１）を有したフックハンガー（８）を挿通して、前記留具（８１）の凸部（８２）をノッチ（１３）の所要幅下方に設けた孔（１２）に内面より挿通し、前記留具（８１）の受部（８３）と台紙外面で接合して固定することを特徴とする請求項１と請求項２いずれかに記載のネクタイパッケージ。
【考案の詳細な説明】
【技術分野】
【０００１】
本考案は、ネクタイのセット販売を行うときに使用する２本セット用のネクタイパッケージに関するものである。
【背景技術】
【０００２】
男性用装身具である多くのネクタイは、１本ずつ個別に包装され販売がおこなわれていることが多い。
吊るし販売や、平台販売や棚置き販売でも、通常１本単位で販売している。
【０００３】
しかし、個別販売であると１本ずつに包装や巻き帯が必要となり、人件費、包装の作業時間、包装紙費用等の製造や販売、流通の面で不都合が生じている。
また、近時は、通信販売や郊外型店舗での買いだめ傾向があり、ネクタイも複数本を一度に購入する消費者が多くなっており、色違いの同じ柄２本とか、同系色の似た模様２本とか、素材が異なる２本とか、ネクタイを複数本で購入する傾向がある。
むしろ、高額でない場合は、１本のみ購入する消費者は少ないといえる。
【０００４】
近年、ネクタイの販売においても消費者の好みの多様化から、価格を押えながらも高品質で、同一柄で色違いのセットや柄が単一でないセット商品にたいする需要が増加しつつある。
そこで実際には複数本販売に適合したパッケージの開発が要請されている。
【０００５】
消費者は衣類や身の回り品等についてもエコ志向、省エネ志向であり、環境アセスメント時代の背景を考慮すると、ネクタイの包装も無駄なことはできないほどに消費者の目は厳しいものである。
ネクタイを１本ずつに包装する包装形態や過剰包装であると、かえってエコや省エネを推奨している商品という名目での販売には結びつかず、消費者の賛同賞賛を得ることや購入意欲を引き起こすことは難しい。
又、商品ごとに個別包装をしては、コストがかかる印象を与え、露出しないと新しい流行を構築できにくく、次世代のネクタイ市場を形成できない。
【０００６】
そこで、包装の形があり、しかも１本包装販売ではなく、かつ露出面もある程度大きいパッケージとして、２本セットのパッケージが企画された。
２本以上複数本のまとめ販売をする場合には、単なる帯や紐で、ネクタイ２本をまとめることはできても、それでは商品価値がかえってなくなる。
個別包装ではなく、かつ顧客単価を上げてまとめて販売する手段として、包装パッケージに特徴を設け複数のネクタイをセットとして販売する２本用のパッケージの開発が期待された。
さて、従来の技術でネクタイを個別包装する道具やパッケージの開発はいくつか知見できる。（特許文献１参照。）
【先行技術文献】
【特許文献】
【０００７】
【特許文献１】実開平０３−１２０４８６号公報
【０００８】
この特許文献１は、ネクタイを完全に包んでしまうものである。
しかしながら、実開平０３−１２０４８６号公報の完全包装形態のものであると、一度包装してしまうと中を確認するには開封作業が必要となる。
開封作業を行うことで包装紙に欠損が生じるおそれがあるので、購入してから開封するしかない。
つまり、色、柄、質感を知りたいときには、完全包装した状態では、開封しなければならず、又、包装紙や箱は無駄になることもある。
【０００９】
又、特許文献１のような包装では、吊るすことのできる構成を含んでいないため、商品陳列の際吊るして販売をおこなうことができない面も不利なパッケージといえる。
そこで、本件出願人は、実用新案登録第３１５５１１４号：考案の名称「ネクタイパッケージ」を開発している。
ネクタイ２本を見やすいディスプレイで吊るして展示できるネクタイパッケージである。
本考案は、同じコンセプトであるが、組立てやすさやコストなどの改良をして、開発されたものである。
【考案の概要】
【考案が解決しようとする課題】
【００１０】
本考案の解決しようとする課題は、以下の通りである。
ネクタイを２本セットで販売するネクタイパッケージであって、量産に適し、かつパッケージング作業が効率良くできる構造を課題とする。
（２）２本セットにしパッケージングした場合でもネクタイの色・柄等を視認でき、・触って質感を確認できる露出型のネクタイパッケージの開発を課題とする。
（３）平台や吊るす状態の陳列でもとくに問わない形状のパッケージとする。陳列方法に左右されず、どの店舗での陳列でも場所をとらず見栄えの良いネクタイパッケージとする。
（４）簡易な包装でネクタイの形状を保持しかつ商品価値を高められる包装デザイン形態の開発を課題とする。
（５）直接触れても型くずれのない状態を保持するネクタイパッケージの開発を課題とする。
（６）ブランドや値札等を付する場所を設けることも課題とする。
（７）細かい部品を使用せず、廉価に大量生産することも課題とする。
【００１１】
開発方針をまとめると、ネクタイを２本セットで販売するネクタイパッケージを開発し、２本セットにした場合でも２本とも柄、手触り等消費者が確認できるパッケージとし、店舗の販売形態を問わず商品陳列可能なネクタイパッケージを目指すものである。
【００１２】
販売店舗でも簡易に包装でき、ネクタイの形状を保持し消費者の目を引き付けるパッケージデザインとし、消費者が直接商品に触れたとしても型崩れしないものとし、ネクタイパッケージ自体に商品の値札、ブランド表示、製造者等の商品情報を掲載可能とするネクタイパッケージを開発課題としている。
【００１３】
複雑な構成とならないよう細かい部品を使用せず、紙シート１枚で見栄えの良い構成とし廉価に大量生産できるパッケージとする。
【課題を解決するための手段】
【００１４】
本考案は、上記のようにネクタイのセット販売を行う２本セットのネクタイパッケージを提供することを最も主要な目的とする。
【００１５】
上記課題を解決するためにこの考案は、全体が１枚のシートを折込んで作成されるもので、上段にネクタイを掛ける角筒を設け、中段に２本目のネクタイを掛ける角筒を設け、下段にその２本目のネクタイを巻きつける角筒を設けて、２本のネクタイをセットでき、ネクタイの表面が留帯で覆われた形のネクタイパッケージを案出した。
【００１６】
図の符号を付して各構成を説明する。
上段にネクタイを掛ける角筒を設ける構成として、縦長の台紙（１１）を設け、その台紙（１１）中央から略左上方に、折り目（１６）を介して短手幅の上段左側面（２１）を設け、折り目（２２）を介して先端に切欠溝（２３）及び掛部（２４）を設けた上段左留帯（２）と、中央から略右上方に折り目（１７）を介して上段右側面（３１）を設け、かつ折り目（３２）を介して先端に切欠溝（３３）及び掛部（３４）を設けた上段右留帯（３）を夫々設けている。
上段左留帯（２）と上段右留帯（３）とは、折り目（１６）（２２）、折り目（１７）（３２）で折り込み組み立て切欠溝（２３）と切欠溝（３３）とを係止してネクタイを通す空間Ａを有する角筒を形成する。
【００１７】
中段に２本目のネクタイを掛ける角筒を設ける構成として、上段左留帯（２）と上段右留帯（３）の下方には、長手幅の中段左留帯（４）と中段右留帯（５）を夫々設けている。
台紙（１１）に、折り目（１６）を介して長手幅の中段左側面（４１）を設け、折り目（４２）を介して、その先端に切欠溝（４３）及び掛部（４４）を設けた中段左留帯（４）を設けている。
【００１８】
中段左留帯（４）には、その一部として保持帯（６）を下方に延設している。
反対側に折り目（１７）を介して短手幅の中段右側面（５１）を設け、折り目（５２）を介して、その先端に切欠溝（５３）及び掛部（５４）を設けた中段右留帯（５）を夫々設けている。
中段左留帯（４）と中段右留帯（５）とは、折り目で折り込み組み立て係止してネクタイを通す空間Ｂを有する角筒を形成する。
【００１９】
更に、下段にその２本目のネクタイを巻きつける角筒を設ける構成として、
前記中段右留帯（５）の下方には折り目（１７）を介して広幅の下段右側面（７１）を設け、折り目（７２）と折り目（７３）を介してその先端に係止爪（７５１）とスリット（７５２）からなる係止部（７５）と下段右重側面（７４）からなる、少なくとも台紙（１１）横幅より長い下段留帯（７）を設けた構成としている。
【００２０】
前記係止部（７５）と下段右重側面（７４）と下段留帯（７）と下段右側面（７１）と台紙（１１）は、折り目（７７）（７３）（７２）（１７）により夫々区画されていて、前記折り目を垂直に内側に折り曲げ、前記係止部（７５）のスリット（７５２）が到接する台紙背面に、略台形の長手辺以外を切欠いた台形の短手辺が左に位置する切欠部（１５）を設け、その切欠部（１５）に係止爪（７５１）を挿し込み、係止爪（７５１）を弓なりに反らして鈎持する。
下段留帯（７）は、折り目（７７）（７３）（７２）（１７）で折り込み、組み立て台紙背面まで巻き込み係止して空間Ｃを有する角筒を形成する。
この角筒表面は平坦で、商品表示部として種々利用できる。
【００２１】
前記縦長の台紙（１１）の上部には、フックハンガー（８）が設けられる。
台紙（１１）の上端から略四分の一下方に上端と平行な折り目（１８）を設けて内面下方側に折り曲げて補強カバー（１４）を設け、前記折り目（１８）の中央部にノッチ（１３）を設け、そのノッチ（１３）に留具（８１）を備えたフックハンガー（８）を挿通して、前記留具（８１）の凸部（８２）をノッチ（１３）の所要幅下方に設けた孔（１２）に内面より挿通し、前記留具（８１）の受部（８３）と台紙外面で接合して固定する。
【００２２】
このような構成のシートを組み立てたネクタイパッケージは、台紙（１１）の上部には、フックハンガー（８）を取り付け、上段左留帯（２）と上段右留帯（３）とを係止して空間Ａを有する角筒を形成し、中段左留帯（４）と中段右留帯（５）とを係止して空間Ｂを有する角筒を形成し、下段留帯（７）を巻いてさらに空間Ｃを有する角筒を形成する。
【００２３】
因みに、構成部位である、上段左側面（２１）及び上段右側面（３１）は同じ幅、中段左側面（４１）及び中段右側面（５１）は同じ幅、下段右側面（７１）及び下段右重側面（７４）は同じ幅である。
そして、幅厚の関係は、上段左側面（２１）＝上段右側面（３１）＜中段左側面（４１）＝中段右側面（５１）＜下段右側面（７１）＝下段右重側面（７４）となる。
【００２４】
２本のネクタイを上下二段に前後重ねて掛ける構成の位置関係を説明すると、フックハンガー（８）を最奥にして、前記空間ＡＢＣの順に前方に並ぶ。
空間Ａと空間Ｂに、ネクタイ（９）を通して吊り下げ、空間Ｂと空間Ｃにネクアイ（１０）を通して吊り下げる。
ネクタイパッケージ（１）は、ネクタイ（９）（１０）の２本を、上下にかつ前後にその柄を表面に見せて吊り下げられる。
【考案の効果】
【００２５】
本考案は前記の構成であり、次の技術的効果がある。
（１）セットでパッケージングし、それぞれのネクタイの色・柄・質感が消費者に解りやすく前後に陳列でき、陳列幅が最小限にでき、整列陳列ができる。
（２）組み立ては、フックハンガーの差し込みと、上中下段の留帯の差込係止のみである。組み立てが迅速にでき効率が優れている。
（３）その組み立て工程で、空間ＡＢＣを有する角筒を、上中下の位置でかつ後方・中間・前方として瞬時に配置できる。
（４）２本セットでパッケージングした場合でもフックハンガーに吊るすことも平台にそのまま陳列することも選択可能である。
（５）ブランドタグや下げ札等の使用により商品を傷つけることも防止できる。
（６）部材がシンプルな構成なため、製造工程で複雑な行程を必要とせず廉価に大量生産が可能である。
【００２６】
消費者からみても、２本のネクタイがパッケージングされ、色・柄・質感などが消費者にもより解りやすいし、吊るされた場合や平台による陳列などでも、直接にネクタイに触れずに、選ぶことができる。
【００２７】
ブランドタグや下げ札等を付する場合はネクタイに直接付さずに本考案のネクタイパッケージ（１）に付することで、商品を傷つけることも防止できる。
また、消費者の目を惹きつける手段として帯状の前部（５）を設けブランドデザインを表記する方法等もでき、消費者の目に留まりやすい効果も期待できる。
【００２８】
部材は、化粧厚紙のみでよいので、廉価に大量生産が可能である。
紙シートとプラスチック製のフックハンガーのみで、接着剤はなく、必要な部材は少なく（最小限であり）安価に製造でき廉価に提供できる。
【図面の簡単な説明】
【００２９】
【図１】本考案に係るネクタイパッケージの実施例１を示すもので、本考案のネクタイパッケージで２本のネクタイを前後に吊るし、上端にフックハンガーを取り付けた状態の斜視図である。
【図２】同じく本考案に係るネクタイパッケージの実施例１を示すもので、ネクタイを装着していない組立態様を示す斜視図である。
【図３】同じく本考案に係るネクタイパッケージの実施例１を示すもので、組み立て前のシートの展開状態を示す説明図である。
【図４】同じく本考案に係るネクタイパッケージの上端に装着するまえのフックハンガーを示す斜視図である。
【考案を実施するための形態】
【００３０】
次にこの考案に係る「ネクタイパッケージ」の実施形態を説明する。
全体が１枚の厚紙シートで構成され、ネクタイを２本装着するネクタイパッケージであって、前記ネクタイパッケージは、そのパッケージ展開状態での内装面（シートの内面）の平面視において、縦長の台紙の中心から略左上方と略右上方とに、短手幅の上段左側面を有し、先端に切欠溝及び掛部を設けた上段左留帯と、上段右側面を有し、かつ先端に切欠溝及び掛部を設けた上段右留帯を夫々設け、その下方に長手幅の中段左側面を有し、その先端に切欠溝及び掛部を設けた中段左留帯と、中段右側面を有し、その先端に切欠溝及び掛部を設けた中段右留帯を夫々設け、その更に下方に広幅の下段右側面を有し、その先端に係止爪とスリットからなる係止部と下段右重側面からなっていて少なくとも台紙横幅より長い下段留帯と、下段左側面を有し中段左留帯と連設された保持帯よりなる紙型を組み立てたもので、台紙の上部には、フックハンガーを取り付け、前記上段左留帯と前記上段右留帯とを係止してネクタイの吊り下げ空間を有する角筒を形成し、前記中段左留帯と前記中段右留帯とを係止して２本目のネクタイの吊り下げ空間を有する角筒を形成し、下段留帯を巻いてさらに空間を有する角筒を形成し、この空間にネクタイを通す形態である。
ネクタイを吊るす上段の角筒と中段の角筒の組み立て係合が表面側でできる。
【００３１】
次に２本目のネクタイの表面を覆う留帯の形態について説明する。
前記係止部と下段右重側面と下段留帯と下段右側面と台紙は折り目により夫々区画されていて、前記折り目を垂直に内側に折り曲げ、前記係止部のスリットが到接する台紙に台形の長手辺以外を切欠して、台形の短手辺が左に位置する切欠部を設け、その切欠部に係止爪を挿し込み、係止爪を弓なりに反らして鈎持する。
【００３２】
次にフックハンガーを台紙へ取り付ける構造について説明する。
縦長の台紙の上端から略四分の一下方に上端と平行な折り目を設けて内面下方側に折り曲げて補強カバーを設け、前記折り目の中央部にノッチを設け、そのノッチに留具を有したフックハンガーを挿通して、前記留具の凸部をノッチの所要幅下方に設けた孔に内面より挿通し、前記留具の受部と台紙外面で接合して固定する。
【００３３】
以上の実施形態は、軽量な紙素材で、強度の要請に応じた構成になっている。
【実施例１】
【００３４】
次にこの考案にかかるネクタイパッケージ（１）について、添付した図面にに基づいて説明する。
図１〜図３は本考案に係るネクタイパッケージの実施例１を示すもので、図１・図２は、組み立て完成図で、図３は展開図。図４は部品の斜視図である。
【００３５】
ネクタイパッケージ（１）は、図３の全体展開図ように１枚の紙シートで作成されている。図３で示す夫々側面と夫々留帯はすべて内面内側へ夫々折り目に沿って立ち起こし折り込んで組み立てられる。
【００３６】
縦長の台紙（１１）を設け、その台紙（１１）中央から略左上方に、折り目（１６）を介して短手幅の上段左側面（２１）を設け、折り目（２２）を介して先端に切欠溝（２３）及び掛部（２４）を設けた上段左留帯（２）と、中央から略右上方に折り目（１７）を介して上段右側面（３１）を設け、かつ折り目（３２）を介して先端に切欠溝（３３）及び掛部（３４）を設けた上段右留帯（３）を夫々設けている。
【００３７】
上段左留帯（２）と上段右留帯（３）とは、折り目（１６）（２２）（１７）（３２）で折り込み組み立て、表面側で合わせて係止してネクタイを通す空間Ａを有する角筒を形成する。
【００３８】
上段左留帯（２）と上段右留帯（３）の下方には、長手幅の中段左留帯（４）と中段右留帯（５）を夫々設けている。
台紙（１１）に、折り目（１６）を介して長手幅の中段左側面（４１）を設け、折り目（４２）を介して、その先端に切欠溝（４３）及び掛部（４４）を設けた中段左留帯（４）を設けている。
【００３９】
中段左留帯（４）には、その一部として保持帯（６）を下方に延設している。
反対側に折り目（１７）を介して短手幅の中段右側面（５１）を設け、折り目（５２）を介して、その先端に切欠溝（５３）及び掛部（５４）を設けた中段右留帯（５）を夫々設けている。
【００４０】
中段左留帯（４）と中段右留帯（５）とは、折り目（１６）（４２）（１７）（５２）で折り込み、表面側で合わせて組み立て係止してネクタイを通す空間Ｂを有する角筒を形成する。
【００４１】
更に、前記中段右留帯（５）の下方には折り目（１７）を介して広幅の下段右側面（７１）を設け、折り目（７２）と折り目（７３）を介してその先端に係止爪（７５１）とスリット（７５２）からなる係止部（７５）と下段右重側面（７４）からなる、少なくとも台紙（１１）横幅より長い下段留帯（７）を設けた構成としている。
【００４２】
前記係止部（７５）と下段右重側面（７４）と下段留帯（７）と下段右側面（７１）と台紙（１１）は、折り目（７７）（７３）（７２）（１７）により夫々区画されていて、前記折り目を垂直に内側に折り曲げ、中段の角筒の保持帯（６１）を覆って巻いて、前記係止部（７５）のスリット（７５２）が到接する台紙（１１）背面に、略台形の長手辺以外を切欠いた台形の短手辺が左に位置する切欠部（１５）を設け、その切欠部（１５）に係止爪（７５１）を挿し込み、係止爪（７５１）を弓なりに反らして鈎持する。
【００４３】
下段留帯（７）は、折り目（７７）（７３）（７２）（１７）で折り込み組み立て台紙背面まで巻き込み係止して空間Ｃを有する角筒を形成する。
【００４４】
素材は一面側に着色加工した厚紙を台紙（１１）として用いて、実施例１では背面が化粧面である。
【００４５】
ネクタイの装着では、上段左留帯（２）と上段右留帯（３）の先端の掛部（２４）（３４）を切欠溝（２３）（３３）に掛け合わせ、該上段左留帯（２）上段右留帯（３）に沿って１本目のネクタイを折りたたみ、折りたたんだネクタイの上に下側の中段左留帯（４）と中段右留帯（５）の夫々の先端にある掛部（４４）（５４）を切欠溝（４３）（５３）に掛け合わせ、該中段左留帯（４）中段右留帯（５）に沿って２本目のネクタイを折りたたみ、折りたたんだネクタイの上に下側の下段留帯（７）を内面側に折り込んで、該下段留帯（７）の先端に設けられた係止爪（７５１）を台紙（１１）に設けられた切欠部（１５）に差し込んで係止爪（７５１）を弓なりに反らして鈎持して組み立てる。
【００４６】
このように、ネクタイ２本を前後段違いで平行に装着するネクタイパッケージ（１）であって、上部にフックハンガー（８）を備え、上段左留帯（２）と上段右留帯（３）を掛け合わせ、１本目のネクタイを折り吊るし、そのネクタイの上に下側の中段左留帯（４）と中段右留帯（５）を掛け合わせ、２本目のネクタイを折り吊るし、そのネクタイの上に下側の下段留帯（７）を内面側に折り込んで止めるだけである。
販売店がディスプレイする時点でも、容易に商品セットができる作業内容である
【００４７】
勿論図２のように上段左留帯（２）と上段右留帯（３）、中段左留帯（４）と中段右留帯（５）夫々の両端に設けられた掛部（２４）（３４）（４４）（５４）を切欠溝（２３）（３３）（４３）（５３）に掛け合わせて係合し、組み立ててから、ネクタイ（９）を空間ＡＢに差し込み、ネクタイ（１０）を空間ＢＣに差し込むことも可能である。
【００４８】
前記縦長の台紙（１１）の上部には、フックハンガー（８）が設けられる。
台紙（１１）の上端から略四分の一下方に上端と平行な折り目（１８）を設けて内面下方側に折り曲げて補強カバー（１４）を設け、補強カバー（１４）は内面内側へ折り目に沿って略１８０度折り込んで使用され、フックハンガー（８）を挟んで上部を補強している。
【００４９】
前記折り目（１８）の中央部にはノッチ（１３）を設け、そのノッチ（１３）に留具（８１）を備えたフックハンガー（８）を挿通して、前記留具（８１）の凸部（８２）をノッチ（１３）の所要幅下方に設けた孔（１２）に内面より挿通し、前記留具（８１）の受部（８３）と台紙外面で接合して固定する。
フックハンガー（８）は、通常は、組み立ての最初に取り付けられる。
【００５０】
商品表示には、下段留帯（７）の表面が利用できる。
上段のネクタイ、中段のネクタイの両方とも色、柄、を一目瞭然にでき、それに巻かれた帯の表面に商品内容等を表示できるので視易い形で陳列でき、購入者は品質誤認をするおそれが少なくなる。
【００５１】
実施例１の実寸は、台紙（１１）が、縦１２０ｍｍ×横８０ｍｍの長方形で、補強カバー（１４）が縦４０ｍｍ×横８０ｍｍである。
構成部位である上段左側面（２１）及び上段右側面（３１）は同じ幅で５ｍｍ、中段左側面（４１）及び中段右側面（５１）は同じ幅で１５ｍｍ、下段右側面（７１）及び下段右重側面（７４）は同じ幅で２０ｍｍである。
これらの側面の厚さが、空間ＡＢＣの厚さの角筒となる。
もとよりこの寸法はあくまで一例で、これに限定されるものではない。
【産業上の利用可能性】
【００５２】
本考案は、既述の説明の通り、２本のネクタイを一緒にパッケージングして、柄やデザインの異なるネクタイを同時に展示・販売する機能を備えている。
布製品で折り込みができるタオルや靴下の複数商品販売にも利用可能性がある。
【符号の説明】
【００５３】
１      ネクタイパッケージ
１１    台紙
１２    孔
１３    ノッチ
１４    補強カバー
１５    切欠部
１６    折り目
１７    折り目
１８    折り目
２      上段左留帯
２１    上段左側面
２２    折り目
２３    切欠溝
２４    掛部
３      上段右留帯
３１    上段右側面
３２    折り目
３３    切欠溝
３４    掛部
４      中段左留帯
４１    中段左側面
４２    折り目
４３    切欠溝
４４    掛部
５      中段右留帯
５１    中段右側面
５２    折り目
５３    切欠溝
５４    掛部
６      保持帯
６１    下段左側面
７      下段留帯
７１    下段右側面
７２    折り目
７３    折り目
７４    下段右重側面
７５    係止部
７５１  係止爪
７５２  スリット
８      フックハンガー
８１    留具
８２    凸部
８３    受部
９      ネクタイ
１０    ネクタイ
【図１】
0003157904.tif 000003
【図２】
0003157904.tif 000004
【図３】
0003157904.tif 000005
【図４】
0003157904.tif 000006